(57)【要約】【課題】  ボールを皮膚に蠢くように密着させて、一度に複数のつぼを同時に効率良く、且つ効果的に刺激でき、また使い勝手が良くなるようにする。【解決手段】  ボール形に形成すると共に、横に二つ割り自在に形成する。上側の半球体１の天頂部に取っ手３を設ける。この上側の半球体１が、下面からマッサージ用の複数の球体５を、その球面の一部を外側に臨ませて転動自在に備える。また下側の半球体２が、外面にマッサージ用の凸部８を備える。【選択図】      図１
2006280722.tif 000002
【特許請求の範囲】
【請求項１】
ボール形に形成されると共に、横に二つ割り自在に形成され、上側の半球体の天頂部に取っ手が設けられ、この上側の半球体が下面からマッサージ用の複数の球体をその球面の一部を外側に臨ませて転動自在に備え、また下側の半球体が外面にマッサージ用の凸部を備えて形成されていることを特徴とする手動式マッサージ器。
【請求項２】
請求項１記載の手動式マッサージ器であって、上側の半球体の天頂部に縦軸を中心に溝が環状に形成され、この溝に取っ手の両端の拡大径部が収納状に係合され、取っ手が溝に案内されて縦軸周りに回動自在に設けられていることを特徴とする手動式マッサージ器。
【請求項３】
請求項１又は２記載の手動式マッサージ器であって、マッサージ用の球体が、上側の半球体の下面の中心位置に１個配置されると共に、この中心位置の球体の周りに周方向に等間隔をあけて球体が同心状に複数配置されていることを特徴とする手動式マッサージ器。
【発明の詳細な説明】
【技術分野】
【０００１】
本発明は手動式マッサージ器に関し、更に詳しくは転動自在の球体を利用してつぼを刺激し、マッサージできるよう形成した手動式マッサージ器に関するものである。
【背景技術】
【０００２】
従来この種の手動式マッサージ器としては、例えば円形の開口とその開口から半球状に窪んだ空洞部を有する容器と、開口の内径より小さい外径を有する主ボールと、主ボールを空洞部で回転可能に支持するために主ボールと空洞部の内壁との間に挿入される複数の補助ボールと、また支持された主ボールの一部を露出させる窓を有して開口を閉じる蓋と、からなるものがある（例えば特許文献１参照）。
【０００３】
ところでこの種のマッサージ器は、手動（腕力）で操作し、身体のつぼや皮膚を刺激して血行を良くしたり、疲労をとるものである。従ってこの種の器具は、操作によってかえって疲れることがないよう、また多様な形態でつぼを刺激し、効率良くマッサージできるよう形成されているのが望ましい。
しかるに従来品は、一個のボールでつぼや皮膚をピンポイント的に刺激するものであった。従って従来品を使用すると、マッサージの手法が限られ、動きが単純で刺激が少なく、またつぼを一箇所づつ刺激していくものであり、効率が悪く、使い勝手が悪い、という問題点があった。
【特許文献１】特開２００３−１０２７１号公報
【発明の開示】
【発明が解決しようとする課題】
【０００４】
本発明は、このような従来技術の問題点に鑑み、提案されたものである。
従って本発明の解決しようとする技術的課題は、ボールを皮膚に蠢くように密着させて、一度に複数のつぼを同時に効率良く、且つ効果的に刺激でき、また使い勝手が良くなるよう形成した手動式マッサージ器を提供することにある。
【課題を解決するための手段】
【０００５】
本発明は、上記の課題を解決するため、次のような技術的手段を採る。
即ち本発明は、図１等に示されるように、ボール形に形成されると共に、横に二つ割り自在に形成され、上側の半球体１の天頂部に取っ手３が設けられ、この上側の半球体１が下面からマッサージ用の複数の球体５をその球面の一部を外側に臨ませて転動自在に備え、また下側の半球体２が外面にマッサージ用の凸部８を備えて形成されていることを特徴とする（請求項１）。
【０００６】
本発明の材質は、プラスチック、木材、金属等、任意である。上側の半球体１と下側の半球体２を例えばプラスチックで形成し、球体５を例えば木材で形成するのでも良い。ここで、横に二つ割り自在に形成され、とは上側の半球体１と下側の半球体２とを分離でき、一体の状態だけではなく、分離して上側の半球体１又は下側の半球体２だけの使用も可能に形成されている、ということを意味する。具体的には、上側の半球体１と下側の半球体２との接合部に、周方向にねじ山１ａ、２ａを形成して螺合したり、或いは雌雄の嵌合部を形成して嵌合することにより実現される。なお本発明の場合、取っ手３や凸部８の形状は、任意である。
【０００７】
而して本発明は、上側の半球体１の天頂部に縦軸Ｌを中心に溝４が環状に形成され、この溝４に取っ手３の両端の拡大径部３ａが収納状に係合され、取っ手３が溝４に案内されて縦軸Ｌ周りに回動自在に設けられているのが好ましい（請求項２）。
なぜならこの場合は、ＸＹ方向には応答性良く直線的に動かすことができ、取っ手３を旋回状に大きく動かしたり小さく動かすと、例えば上側の半球体１が取っ手３に追従し、変化に富んだ動きでつぼや皮膚を刺激できるからである。
【０００８】
また請求項１又は２記載の本発明は、マッサージ用の球体５が、上側の半球体１の下面の中心位置に１個配置されると共に、この中心位置の球体５の周りに周方向に等間隔をあけて球体５が同心状に複数配置されているのが好ましい（請求項３）。
なぜならこれによると、安定した動きでバランス良くマッサージでき、一層、使い勝手が良くなるからである。
【発明の効果】
【０００９】
本発明の手動式マッサージ器は、このように形成されているから、下側の半球体の凸部でマッサージできるだけではなく、二つ割りし、例えば上側の半球体によってもマッサージを行うことができる。従ってこれによれば、多種多様な形態でマッサージでき、使い勝手が良くなるものである。
また本発明の場合、上側の半球体は、転動する複数の球体を備えてなる。従ってこれによると、この球体で一度に複数のつぼを同時に、且つ多様な形態で効率良く刺激することができる。また上側の半球体を動かすと、この球体が夫々蠢いて皮膚やつぼを刺激するから、これによるとマッサージの効果を高く得られるものである。
【発明を実施するための最良の形態】
【００１０】
以下、本発明を実施するための最良の形態を説明する。
本発明は、図１等に示されるように、例えばプラスチックでボール形に形成されると共に、横に二つ割り自在に形成されている。１は上側の半球体であり、２は下側の半球体である。上側の半球体１と下側の半球体２とは、その接合部に、周方向にねじ山１ａ、２ａ（図３、図７参照）が形成され、このねじ山１ａ、２ａが螺合されることで一体状に連結されたり、或いは分離可能に形成されている。
【００１１】
３は、例えばホッチキスの針形に形成された取っ手である。この取っ手３は、上側の半球体１の天頂部に設けられている。４は、上側の半球体１の天頂部に、縦軸Ｌを中心に環状に形成されている溝である。取っ手３の両端の拡大径部３ａは、この溝４に収納状に係合され、取っ手３は溝４に案内されて縦軸Ｌ周りに回動自在に設けられている。
【００１２】
また上側の半球体１は、下面からマッサージ用の複数の球体５をその球面の一部を外側に臨ませて転動自在に備えている。６は、球体５の収納部である。この収納部６は、上側の半球体１の下側に凹段差状に形成されている。７は、球体５を保持するホルダー板である。このホルダー板７は、球体５の直径より径が小さい貫通孔７ａを有し、球体５はこの貫通孔７ａに周面が係止されることにより、抜け落ちが防止されている。
【００１３】
また上側の半球体１の収納部６の下面には、球体５の周面と係合する断面円弧状の凹み６ａが形成されている。球体５は、この凹み６ａに係合して安定的に転動すると共に、上方への浮き上がりが防止されている。この実施形態に係る本発明は、図示されるように、上記の球体５は、上側の半球体１の下面の中心位置に１個配置されると共に、この中心位置の球体５の周りに周方向に６０度づつあけて球体５が同心状に６個配置されている。
【００１４】
また下側の半球体２は、外面にマッサージ用の凸部８を備えて形成されている。この凸部８は、この実施形態では円球の一部をカットした球面状に形成され、下側の半球体２の外面の適宜位置に一体成型により複数形成されている。また下側の半球体２は、この実施形態ではその上面に、球体５の周面の一部が係合する断面円弧状の凹部９を備えて形成されている。
【００１５】
次に本発明品の作用を説明する。
本発明品は、ボール形の状態（図１参照）、或いは上側の半球体１と下側の半球体２とを分離した状態で使用される。使用する場合は、取っ手３を利用し、例えばＸＹ方向に移動したり、旋回状に回し、つぼに凸部８や球体５を押し付ける。この場合使用者が取っ手３を持ってＸＹ方向に動かすと、取っ手３に追従して上側の半球体１が取っ手３と一体状に動いて転動する球体５が蠢き、ＸＹ方向の直線上の広い範囲を同時にマッサージする。また取っ手３を旋回状に大きく動かしたり小さく動かすと、取っ手３は溝４に案内されて回るため、取っ手３の動きが上側の半球体１を介して球体５に間接的に伝わる。従って球体５が複数のつぼや皮膚の表面を押圧したり、擦り、身体の表面で球体５が蠢くように転動し、一度に多くの箇所を同時にマッサージする。
【００１６】
以上の処において、本発明は、上側の半球体１と下側の半球体２が、下側の半球体２に固定されている心棒１０（図８〜図１０等参照）で二つ割り自在に形成されているのでも良い。この心棒１０は、下側の半球体２の中心位置に、垂直に固定されている。上側の半球体１は、心棒１０が通される孔１１を、その中心位置に上下方向に貫通状に備えて形成されている。心棒１０は、上端１０ａにネジが切られている。この本発明の場合は、上側の半球体１の天頂部から突き出される心棒１０の上端１０ａに、ナット１２が螺合されることにより、上側の半球体１と下側の半球体２が一体状に連結されたり、分割可能に形成されている。
【００１７】
また本発明は、図１３、図１４に示されるように、径の異なる同心円線Ｃ上に、球体５が複数設けられているのでも良い。この場合は、通常、球体５の径が小さくなり、小さい球体５を上側の半球体１に多数設けることができる。従ってこれによれば、より一層、蠢くような動きでマッサージでき、つぼを細かく刺激でき、マッサージ効果をあげることができる。
【図面の簡単な説明】
【００１８】
【図１】本発明の手動式マッサージ器の好適な一実施形態を示す正面図である。
【図２】同上マッサージ器の平面図である。
【図３】上側の半球体の正面図である。
【図４】上側の半球体の底面図である。
【図５】図４のＶ−Ｖ線における断面図である。
【図６】下側の半球体の平面図である。
【図７】図６のＶＩＩ−ＶＩＩ線における断面図である。
【図８】本発明の他の実施形態を示す正面図である。
【図９】図８の実施形態に係る本発明の平面図である。
【図１０】図９のＸ−Ｘ線における断面図である。
【図１１】図８の実施形態に係る本発明の上側の半球体の正面図である。
【図１２】図８の実施形態に係る本発明の上側の半球体の底面図である。
【図１３】本発明の更に他の実施形態を示す上側の半球体の正面図である。
【図１４】図１３の実施形態に係る本発明の底面図である。
【符号の説明】
【００１９】
１      上側の半球体
２      下側の半球体
３      取っ手
４      溝
５      球体
６      収納部
７      ホルダー板
８      凸部
９      凹部
１０    心棒
１１    孔
１２    ナット
【図１】
2006280722.tif 000003
【図２】
2006280722.tif 000004
【図３】
2006280722.tif 000005
【図４】
2006280722.tif 000006
【図５】
2006280722.tif 000007
【図６】
2006280722.tif 000008
【図７】
2006280722.tif 000009
【図８】
2006280722.tif 000010
【図９】
2006280722.tif 000011
【図１０】
2006280722.tif 000012
【図１１】
2006280722.tif 000013
【図１２】
2006280722.tif 000014
【図１３】
2006280722.tif 000015
【図１４】
2006280722.tif 000016